(57)【特許請求の範囲】
【請求項１】
テレビカメラを具備する子器と、テレビカメラの撮像した映像を映し出すモニタテレビを具備する親器とが伝送線を介して接続され、子器はテレビカメラの撮像した映像信号を伝送線に出力するとともに、伝送線を介して親器から駆動電圧が供給されるテレビドアホン装置において、子器は、親器を呼び出す際に操作するための呼出釦と、呼出釦の操作によって親器から供給される駆動電圧を変動させる電圧変動手段を備え、親器は、電源から電源供給され所定電圧値の駆動電圧を生成して子器に供給する給電手段と、電圧変動手段による駆動電圧の変動を所定時間継続させる電圧変動継続手段と、駆動電圧の変動を検出することにより子器側からの呼出を検出する呼出検出手段とを備えて成ることを特徴とするテレビドアホン装置。
【請求項２】
上記電圧変動手段を、コンデンサと抵抗との直列回路からなる時定数回路で構成したことを特徴とする請求項１記載のテレビドアホン装置。
【請求項３】
上記電圧変動手段は、給電手段と電源のグランドとの間に電気的に接続されたことを特徴とする請求項１又は２記載のテレビドアホン装置。
【請求項４】
上記電圧変動手段は、給電手段と電源の出力端との間に電気的に接続されたことを特徴とする請求項１又は２記載のテレビドアホン装置。
【発明の詳細な説明】
【０００１】
【発明の属する技術分野】
本発明は、テレビカメラ付きの子器とモニタテレビ付きの親器とが２線伝送路を介して互いに接続されたテレビドアホン装置に関するものである。
【０００２】
【従来の技術】
図６は従来のテレビドアホン装置の概略構成図であり、このテレビドアホン装置は、テレビカメラ付き子器（以下、子器という）１と、モニタテレビ付き親器（以下、親器という）２とで構成される。子器１と親器２との間は伝送線Ｌ１によって接続されており、子器１及び親器２の間では音声信号及び映像信号がそれぞれベースバンド伝送方式及びＦＭ（周波数変調）方式により伝送される。
【０００３】
このテレビドアホン装置では、例えば子器１を玄関先に設置すると共に、モニタテレビ付きの親器２を屋内に設置し、子器１のテレビカメラ１１で撮影した玄関先の映像を親器２のモニタテレビ３５により確認できると同時に、子器１及び親器２の間で双方向の通話が行えるようになっている。
【０００４】
子器１の動作に必要な電流は親器２から受電回路１８を通じて供給されるが、子器１と親器２との間で音声及び映像の伝送が行われていない状態（以下、この状態を待機状態という。）では、消費電流を低減するために抵抗Ｒ３１を介して子器１に給電することによって給電電圧を低下させている。一方、子器１と親器２との間で音声及び映像の伝送を行う状態（以下、この状態を動作状態という。）では、子器１のテレビカメラ１１、マイク１９、スピーカ２１及びそれらの駆動回路を動作させるために、給電回路４４から子器１に給電することにより給電電圧を高くしている。
【０００５】
子器１は、来訪者を撮影して映像信号を発生するテレビカメラ１１と、テレビカメラ１１の映像信号をＦＭ変調するＦＭ変調回路１２と、ＦＭ変調された映像信号（以下、ＦＭ映像信号という。）を多重分離回路２３に出力する送信回路１４と、来訪者が発した音声を電気的な音声信号に変換するマイク１９と、マイク１９からの音声信号を増幅して多重分離回路２３に出力するマイクアンプ２０と、親器２からの音声などを出力するスピーカ２１と、親器２から多重分離回路２３を介して入力された音声信号を増幅してスピーカ２１を駆動するスピーカアンプ２２と、送信回路１４からのＦＭ映像信号及びマイクアンプ２０からの音声信号を親器２から給電された直流の給電電圧に多重化するとともに、多重化された直流入力から給電電圧及び親器２からの音声信号を分離する多重分離回路２３と、親器２との接続極性を無極性にする無極性回路２４と、多重分離回路２３の出力から給電電圧を分離する受電回路１８と、受電回路１８によって分離された給電電圧を安定化して内部回路の動作電圧を生成する安定化電源回路１７と、来訪者が屋内にいる居住者を呼び出す際に押操作する呼出釦ＳＷ１１と、待機状態で呼出釦ＳＷ１１が操作された際に呼出を親器２側へ通知する待機時呼出制御回路１５と、動作状態で呼出釦ＳＷ１１が再操作された際に親器２側へ再呼出を通知する動作時再呼出制御回路１６と、動作時再呼出制御回路１６が再呼出を親器２側へ通知する所定の再呼出期間だけ、動作時再呼出制御回路１６からの制御信号に応じてＦＭ映像信号を欠落させる再呼出信号重畳回路１３とで構成される。
【０００６】
また親器２は、子器１側に給電する給電電圧に子器１側への音声信号を多重化するとともに、多重化された直流出力より子器１側からの映像信号及び音声信号を分離する多重分離回路３１と、多重分離回路３１によって分離されたＦＭ映像信号を受信する受信回路３２と、受信回路３２から入力されたＦＭ映像信号を復調するＦＭ復調回路３４と、復調された映像信号に基づいてテレビカメラ１１の撮像した画像を映し出すモニタテレビ３５と、居住者が入力した音声を電気的な音声信号に変換するマイク４１と、マイク４１からの音声信号を増幅して多重分離回路３１に出力するマイクアンプ４０と、子器１からの音声を出力するスピーカ４３と、多重分離回路３１によって分離された子器１からの音声信号を増幅してスピーカ４３を駆動するスピーカアンプ４２と、商用電源（ＡＣ１００Ｖ）を所定電圧値の直流電圧に変換して内部回路に供給する安定化電源４５と、待機状態において子器１に給電電圧を供給するための抵抗Ｒ３１と、子器１が動作状態にある場合に安定化電源４５の出力から子器１に供給する給電電圧を生成して多重分離回路３１に出力する給電回路４４と、待機状態において子器１から多重分離回路３１を介して入力された待機時呼出信号の電圧レベルをシフトしてＡ／Ｄコンバータ３７の入力レンジに合わせる待機時呼出電圧シフト回路３６と、受信回路３２の出力からＦＭ映像信号の欠落を検出して再呼出を検出するドロップアウト検出回路３３と、待機時呼出電圧シフト回路３６から入力された呼出信号やドロップアウト検出回路３３の検出信号をＡ／Ｄ変換してＣＰＵ３８に出力するＡ／Ｄコンバータ３７と、子器１への応答などの操作を行うための操作釦３９と、呼出信号や操作釦３９の操作に応じた制御を行うＣＰＵ３８とで構成される。
【０００７】
ところで、図９は上述した給電回路４４の等価回路を示しており、この給電回路４４はベース接地トランジスタ回路で構成されている。ここで、トランジスタＱ１０１，Ｑ１０２のコレクタ側は音声信号の周波数帯域に対してインピーダンスを高くするようになっており、音声信号が安定化電源４５側に回り込むのを防止している。また、スイッチＳＷ１０１はＣＰＵ３９によってオン／オフが制御されており、子器１を動作させる際にスイッチＳＷ１０１がオンされ、給電回路４４から給電電圧が供給される。尚、子器１が待機状態にある場合、ＣＰＵ３９はスイッチＳＷ１０１をオフしており、安定化電源４５から抵抗Ｒ３１を介して子器１に給電電圧が供給される。
【０００８】
以下に来訪者が待機状態にある子器１を操作して親器２を呼び出す場合の子器１及び親器２の動作について図７（ａ）（ｂ）を参照して説明する。尚、図７（ａ）は呼出釦ＳＷ１１の両端電圧を示し、図７（ｂ）は伝送線Ｌ１の電圧変化を示す波形図である。
【０００９】
待機状態では親器２から給電される給電電圧が動作状態に比べて低下し、ＮＯＴゲートＧ１３のしきい値電圧よりも低くなるため、ＮＯＴゲートＧ１３の出力はＨレベルとなる。この時、ゲートＧ１１，Ｇ１２の入力端子にはＨレベルの信号が入力され、ゲートＧ１２の出力は常にＬレベルとなるので、ゲートＧ１１が操作釦ＳＷ１１の出力から呼出の有無を検出する。すなわち、待機状態において来訪者が子器１の呼出釦ＳＷ１１を押操作すると（時刻ｔ１１）、ゲートＧ１１のもう一方の入力端子にＬレベルの信号が入力され、ゲートＧ１１の出力がＨレベルとなり、ゲートＧ１１の出力によってスイッチＳＷ１２が閉成されるので、多重分離回路２３の出力端が負荷抵抗Ｒ１３を介してグランドに接続されて、伝送線Ｌ１の電圧が降下する（図７（ｂ）参照）。親器２では伝送線Ｌ１の電圧が待機時呼出電圧シフト回路３６によってＡ／Ｄコンバータ３７の入力レンジまでシフトされ、Ａ／Ｄコンバータ３７によってデジタル信号に変換されており、このデジタル信号からＣＰＵ３８は呼出のあったことを検出する。
【００１０】
次に、来訪者が動作状態にある子器１を操作して再呼出を行う場合の子器１及び親器２の動作について図８（ａ）〜（ｄ）を参照して説明する。尚、図８（ａ）は呼出釦ＳＷ１１の両端電圧を示し、図８（ｂ）はテレビカメラ１１の垂直同期信号ＶＤの電圧波形を示し、図８（ｃ）はＦＭ映像信号に再呼出信号を重畳した信号波形を示し、図８（ｄ）はドロップアウト検出回路３３の出力波形を示している。
【００１１】
子器１が動作状態にある場合、親器２から給電される給電電圧が待機状態に比べて高くなり、ＮＯＴゲートＧ１３のしきい値電圧よりも高くなるため、ＮＯＴゲートＧ１３の出力はＬレベルとなり、ゲートＧ１１，Ｇ１２の入力端子にＬレベルの信号が入力され、ゲートＧ１１の出力は常にＬレベルとなるので、ゲートＧ１２が操作釦ＳＷ１１の出力から呼出の有無を検出する。
【００１２】
すなわち、動作状態において来訪者が子器１の呼出釦ＳＷ１１を押操作すると、ゲートＧ１２の入力端子にＬレベルの信号が入力され、この状態でテレビカメラ１１から垂直同期信号ＶＤが入力される期間のみゲートＧ１２の出力がＨレベルとなって、スイッチＳＷ１３がオンになる。スイッチＳＷ１３がオンになると、再呼出信号重畳回路１３はＦＭ映像信号の出力を停止させ、ＦＭ映像信号の出力を欠落させる。この時、親器２ではドロップアウト検出回路３３がＦＭ映像信号の欠落を検出し、その出力信号はＡ／Ｄコンバータ３７によってデジタル信号に変換されるので、このデジタル信号からＣＰＵ３８は再呼出のあったことを検出する。
【００１３】
【発明が解決しようとする課題】
上記構成のテレビドアホン装置では、子器１が待機状態にある場合、親器２は抵抗Ｒ３１を介して子器１へ駆動電圧を供給しているので、子器１の待機時呼出制御回路１５が呼出釦ＳＷ１１の呼出操作に応じて伝送線Ｌ１の電圧を低下させると、伝送線Ｌ１の電圧変動が比較的長い時間継続するため、親器２では子器１からの通知を確実に検出できる。しかしながら、子器１が動作状態にある場合、親器２の給電回路４４から子器１に駆動電圧が供給されているので、上述と同様に子器１が伝送線Ｌ１の電圧を低下させたとしても、給電回路４４が電圧変動を抑制するように動作するから、伝送線Ｌ１の電圧変動は短時間で収束し、子器１からの通知を検出できない虞があった。
【００１４】
そこで、従来のテレビドアホン装置では、上述のように来訪者が動作状態にある子器１を操作して再呼出を行う場合、子器１はＦＭ映像信号を所定の再呼出期間だけ欠落させることによって親器２へ再呼出を通知しており、テレビカメラ１１に垂直同期信号ＶＤの出力部を設け、この垂直同期信号ＶＤに同期させてＦＭ映像信号を欠落させる再呼出信号重畳回路１３を子器１に設ける必要がある。また親器２側では、ＦＭ映像信号の欠落を検出するドロップアウト検出回路３３が必要であった。このような再呼出信号重畳回路１３やドロップアウト検出回路３３は回路構成が複雑であり、回路部品の数が多く、広い実装スペースを確保する必要があり、コストアップの要因となるという問題があった。
【００１５】
本発明は上記問題点に鑑みて為されたものであり、その目的とするところは、回路構成が簡単で安価なテレビドアホン装置を提供することにある。
【００１６】
【課題を解決するための手段】
上記目的を達成するために、請求項１の発明では、テレビカメラを具備する子器と、テレビカメラの撮像した映像を映し出すモニタテレビを具備する親器とが伝送線を介して接続され、子器はテレビカメラの撮像した映像信号を伝送線に出力するとともに、伝送線を介して親器から駆動電圧が供給されるテレビドアホン装置において、子器は、親器を呼び出す際に操作するための呼出釦と、呼出釦の操作によって親器から供給される駆動電圧を変動させる電圧変動手段を備え、親器は、電源から電源供給され所定電圧値の駆動電圧を生成して子器に供給する給電手段と、電圧変動手段による駆動電圧の変動を所定時間継続させる電圧変動継続手段と、駆動電圧の変動を検出することにより子器側からの呼出を検出する呼出検出手段とを備えて成ることを特徴とし、子器から親器を呼び出す場合、子器の電圧変動手段が駆動電圧を変動させており、親器には、駆動電圧の電圧変動を一定時間継続させる電圧変動継続手段が設けられ、呼出検出手段が駆動電圧の電圧変動を検出することによって子器側からの呼出を検出しているので、駆動電圧の電圧変動が短時間で収束して、呼出検出手段が電圧変動を検出できなくなるのを防止し、子器側からの呼出を確実に検出でき、且つ従来のテレビドアホン装置のようにテレビカメラの垂直同期信号が出力される間映像信号を欠落させることによって子器側からの再呼出を検出する場合に比べて、垂直同期信号の出力部を有するテレビカメラを用いたり、呼出時に駆動電圧に重畳する映像信号を欠落させるための回路を子器に設けたり、駆動電圧に重畳された映像信号の欠落を検出する回路を親器に設ける必要がなく、駆動電圧の電圧値を変動させるだけなので、回路構成が複雑になってコストアップとなるのを防止できる。
【００１７】
請求項２の発明では、請求項１の発明において、上記電圧変動手段を、コンデンサと抵抗との直列回路からなる時定数回路で構成したことを特徴とし、電圧変動手段を簡単な回路構成で実現することができる。
【００１８】
請求項３の発明では、請求項１又は２の発明において、上記電圧変動手段は、給電手段と電源のグランドとの間に電気的に接続されたことを特徴とし、請求項１の発明と同様の作用を奏する。
【００１９】
請求項４の発明では、請求項１又は２の発明において、上記電圧変動手段は、給電手段と電源の出力端との間に電気的に接続されたことを特徴とし、電圧変動手段は給電手段と給電手段の電源の出力端との間に電気的に接続されているので、給電手段と電源のグランドとの間に接続する場合に比べて、電圧変動手段に印加される電圧が低くなり、電圧変動手段をコンデンサと抵抗との直列回路からなる時定数回路で構成した場合は時定数回路のコンデンサに耐圧の低い素子を使用することができるから、電圧変動手段の小型化、低コスト化を図ることができる。
【００２０】
【発明の実施の形態】
本発明の実施の形態を図面を参照して説明する。
【００２１】
（実施形態１）
図１に本実施形態のテレビドアホン装置の概略構成図を示す。本実施形態のテレビドアホン装置は、従来のテレビドアホン装置と同様に、子器１と親器２とで構成され、子器１と親器２との間は平衡２線ケーブルである伝送線Ｌ１によって接続されている。そして、子器１及び親器２の間では音声信号及び映像信号がそれぞれベースバンド伝送方式及びＦＭ方式により伝送される。
【００２２】
子器１は、来訪者を撮影して映像信号を発生するテレビカメラ１１と、テレビカメラ１１の映像信号をＦＭ変調するＦＭ変調回路１２と、ＦＭ変調された映像信号（以下、ＦＭ映像信号という。）を多重分離回路２３に出力する送信回路１４と、来訪者が発した音声を電気的な音声信号に変換するマイク１９と、マイク１９からの音声信号を増幅して多重分離回路２３に出力するマイクアンプ２０と、親器２からの音声などを出力するスピーカ２１と、親器２から多重分離回路２３を介して入力された音声信号を増幅してスピーカ２１を駆動するスピーカアンプ２２と、送信回路１４からのＦＭ映像信号及びマイクアンプ２０からの音声信号を親器２から給電された直流の給電電圧（駆動電圧）に多重化するとともに、多重化された直流入力から給電電圧及び親器２からの音声信号を分離する多重分離回路２３と、親器２との接続極性を無極性にする無極性回路２４と、多重分離回路２３の出力から給電電圧を分離する受電回路１８と、受電回路１８によって分離された給電電圧を安定化して内部回路の動作電圧を生成する安定化電源回路１７と、来訪者が屋内にいる居住者を呼び出す際に押操作する呼出釦ＳＷ１１と、待機状態で呼出釦ＳＷ１１が操作された際に呼出を親器２側へ通知する待機時呼出制御回路１５と、動作状態で呼出釦ＳＷ１１が再操作された際に再呼出を親器２側へ通知する動作時再呼出制御回路１６とで構成される。
【００２３】
一方、親器２は、子器１側に給電する給電電圧に子器１側への音声信号を多重化するとともに、多重化された直流出力より子器１側からの映像信号及び音声信号を分離する多重分離回路３１と、多重分離回路３１によって分離されたＦＭ映像信号を受信する受信回路３２と、受信回路３２から入力されたＦＭ映像信号を復調するＦＭ復調回路３４と、復調された映像信号に基づいてテレビカメラ１１の撮像した画像を映し出すモニタテレビ３５と、居住者が入力した音声を電気的な音声信号に変換するマイク４１と、マイク４１からの音声信号を増幅して多重分離回路３１に出力するマイクアンプ４０と、子器１からの音声を出力するスピーカ４３と、多重分離回路３１によって分離された子器１からの音声信号を増幅してスピーカ４３を駆動するスピーカアンプ４２と、商用電源（ＡＣ１００Ｖ）を所定電圧値の直流電圧に変換して内部回路に供給する安定化電源４５と、待機状態において子器１に給電電圧を供給するための抵抗Ｒ３１と、子器１が動作状態にある場合に安定化電源４５の出力から子器１に供給する直流の給電電圧を生成して多重分離回路３１に出力する給電回路４４と、待機状態において子器１から多重分離回路３１を介して入力された待機時呼出信号の電圧レベルをシフトし、Ａ／Ｄコンバータ３７の入力レンジに合わせる待機時呼出電圧シフト回路３６と、ＣＰＵ３８の処理能力に合わせて給電回路４４から子器１側に供給する負荷電流の変化を鈍らせる時定数回路４６と、動作状態において子器１から多重分離回路３１を介して入力された動作時呼出信号の電圧レベルをシフトし、Ａ／Ｄコンバータ３７の入力レンジに合わせる動作時再呼出電圧シフト回路４７と、両シフト回路３６，４７の出力電圧をＡ／Ｄ変換してＣＰＵ３８に出力するＡ／Ｄコンバータ３７と、子器１への応答などの操作を行うための操作釦３９と、呼出信号や操作釦３９の操作に応じた制御を行うＣＰＵ３８とで構成される。
【００２４】
ところで、図２は給電回路４４及び時定数回路４６の等価回路図であり、給電回路４４はベース接地トランジスタ回路で構成され、従来のテレビドアホン装置と同様の回路構成を有しているので、その説明は省略する。一方、時定数回路４６は、抵抗Ｒ１０４とコンデンサＣ１０３の直列回路から構成され、トランジスタＱ１０２のベースと安定化電源４５のグランドとの間に電気的に接続されている。ここで、コンデンサＣ１０３の両端には安定化電源４５の出力電圧Ｖccが印加されており、抵抗Ｒ１０４及びコンデンサＣ１０３の時定数によってトランジスタＱ１０２のベース電位の応答性が変化し、給電回路４４の応答時間が設定される。すなわち、時定数回路４６は子器１側の電流変動に対する給電回路４４の応答性を鈍化させており、給電電圧の電圧変動を一定時間継続させることによって、ＣＰＵ３８が伝送線Ｌ１の電圧変動を確実に検出できるようにしている。但しこの時定数を長くすると、子器１を待機状態から動作状態に切り換えるのに要する時間が長くなって、子器１の動作応答性が悪化するため、負荷電流の変動による伝送線Ｌ１の電圧変動の継続時間がＣＰＵ３８の検出可能な最小限の時間になるように、抵抗Ｒ１０４及びコンデンサＣ１０３の時定数を設定するのが望ましい。
【００２５】
以下にこのテレビドアホン装置の動作について簡単に説明する。来訪者が待機状態にある子器１の呼出釦ＳＷ１１を操作して、親器２側を呼び出すと、従来のテレビドアホン装置と同様にして、親器２が子器１側からの呼出を検出し、子器１に供給する給電電圧の電圧値を高くして、テレビカメラ１１などを動作させる。この時、親器２のモニタテレビ３５には子器１のテレビカメラ１１が撮像した映像が映し出されており、この状態で来訪者が子器１の呼出釦ＳＷ１１を再度操作して、再呼出を行う場合の子器１及び親器２の動作について簡単に説明する。
【００２６】
子器１が動作状態にある場合、親器２から給電される給電電圧が待機状態に比べて高くなり、ＮＯＴゲートＧ１３のしきい値電圧よりも高くなるため、ＮＯＴゲートＧ１３の出力はＬレベルとなり、ゲートＧ１１，Ｇ１２の入力端子にＬレベルの信号が入力され、ゲートＧ１１の出力は常にＬレベルとなるので、ゲートＧ１２が操作釦ＳＷ１１の出力から呼出の有無を検出する。
【００２７】
すなわち、動作状態において来訪者が子器１の呼出釦ＳＷ１１を押操作すると、ゲートＧ１２のもう一方の入力端子にＬレベルの信号が入力されるので、呼出釦ＳＷ１１が押操作されている間だけスイッチＳＷ１３が閉成し、安定化電源回路１７の出力と回路のグランドとの間にスイッチＳＷ１３を介して負荷抵抗Ｒ１４が接続され、安定化電源回路１７の負荷電流を増加させる。
【００２８】
ここで、親器２では、子器１側での負荷電流の増加によって生じる伝送線Ｌ１の電圧変動から再呼出を検出するのであるが、給電回路４４に時定数回路４６が設けられていない場合、図４（ａ）（ｂ）に示すように、負荷電流の変動によって発生する伝送線Ｌ１の電圧変動が短時間で収束するため、この電圧変動をＣＰＵ３８が検出できない場合がある。尚、図４（ａ）は呼出釦ＳＷ１１の両端電圧を示し、図４（ｂ）は伝送線Ｌ１の電圧変化を示す波形図である。
【００２９】
そこで、本実施形態では給電回路４４に時定数回路４６を設けており、この時定数回路４６が給電回路４４の出力電圧の電流追従性能を鈍化させているので、図３（ａ）（ｂ）に示すように時定数回路４６を設けていない場合に比べて電圧変動の継続時間が長くなる。尚、図３（ａ）は呼出釦ＳＷ１１の両端電圧を示し、図３（ｂ）は伝送線Ｌ１の電圧変化を示す波形図である。
【００３０】
したがって、子器１側での負荷電流の増加によって給電回路４４の出力電圧が変動した場合、時定数回路４６によって給電回路４４の電流追従性が鈍化されているので、給電回路４４の出力電圧に発生する電圧変動が一定時間継続する。ここで、給電回路４４の出力の電圧レベルは動作時再呼出電圧シフト回路４７によってＡ／Ｄコンバータ３７の入力レンジまでシフトされ、Ａ／Ｄ変換されており、ＣＰＵ３８では出力電圧の電圧変動から再呼出のあったことを確実に検出できる。
【００３１】
（実施形態２）
本実施形態のテレビドアホン装置の一部省略せる回路図を図５に示す。尚、時定数回路４６以外の構成は、実施形態１のテレビドアホン装置と同様であるので、同一の構成要素には同一の符号を付して、その説明を省略する。
【００３２】
時定数回路４６は、抵抗Ｒ１０５とコンデンサＣ１０４との直列回路で構成され、トランジスタＱ１０２のベースと安定化電源４５の出力端との間に電気的に接続されている。ここで、抵抗Ｒ１０５及びコンデンサＣ１０４の時定数によってトランジスタＱ１０２のベース電位の応答性が変化し、給電回路４４の応答時間が設定される。すなわち、時定数回路４６は子器１側の電流変動に対する給電回路４４の応答性を鈍化させており、給電電圧の電圧変動を一定時間継続させることによって、ＣＰＵ３８が伝送線Ｌ１の電圧変動を確実に検出できるようにしている。尚、この時定数を長くすると、子器１を待機状態から動作状態に切り換えるのに要する時間が長くなって、子器１の動作応答性が悪化するため、負荷電流の変動による伝送線Ｌ１の電圧変動の継続時間がＣＰＵ３８の検出可能な最小限の時間になるように、抵抗Ｒ１０５及びコンデンサＣ１０４の時定数が設定するのが望ましい。
【００３３】
また本実施形態では、時定数回路４６を給電回路４４と安定化電源４５の出力との間に接続しているから、時定数回路４６のコンデンサＣ１０４には、トランジスタＱ１０１，Ｑ１０２のベース・エミッタ間電圧Ｖbeの約２倍の電圧２Ｖbe（約１．２Ｖ）しか印加されておらず、実施形態１の時定数回路４６に比べてコンデンサＣ１０４に印加される電圧値を低減できるから、コンデンサＣ１０４の耐圧が低くなり、小型、低コストのコンデンサを使用することができる。
【００３４】
【発明の効果】
上述のように、請求項１の発明は、テレビカメラを具備する子器と、テレビカメラの撮像した映像を映し出すモニタテレビを具備する親器とが伝送線を介して接続され、子器はテレビカメラの撮像した映像信号を伝送線に出力するとともに、伝送線を介して親器から駆動電圧が供給されるテレビドアホン装置において、子器は、親器を呼び出す際に操作するための呼出釦と、呼出釦の操作によって親器から供給される駆動電圧を変動させる電圧変動手段を備え、親器は、電源から電源供給され所定電圧値の駆動電圧を生成して子器に供給する給電手段と、電圧変動手段による駆動電圧の変動を所定時間継続させる電圧変動継続手段と、駆動電圧の変動を検出することにより子器側からの呼出を検出する呼出検出手段とを備えて成ることを特徴とし、子器から親器を呼び出す場合、子器の電圧変動手段が駆動電圧を変動させており、親器には、駆動電圧の電圧変動を一定時間継続させる電圧変動継続手段が設けられ、呼出検出手段が駆動電圧の電圧変動を検出することによって子器側からの呼出を検出しているので、駆動電圧の電圧変動が短時間で収束して、呼出検出手段が電圧変動を検出できなくなるのを防止し、子器側からの呼出を確実に検出でき、且つ従来のテレビドアホン装置のようにテレビカメラの垂直同期信号が出力される間映像信号を欠落させることによって子器側からの再呼出を検出する場合に比べて、垂直同期信号の出力部を有するテレビカメラを用いたり、呼出時に駆動電圧に重畳する映像信号を欠落させるための回路を子器に設けたり、駆動電圧に重畳された映像信号の欠落を検出する回路を親器に設ける必要がなく、駆動電圧の電圧値を変動させるだけなので、回路構成が複雑になってコストアップとなるのを防止できるという効果がある。
【００３５】
請求項２の発明は、請求項１の発明において、上記電圧変動手段を、コンデンサと抵抗との直列回路からなる時定数回路で構成したことを特徴とし、電圧変動手段を簡単な回路構成で実現できるという効果がある。
【００３６】
請求項３の発明は、請求項１又は２の発明において、上記電圧変動手段は、給電手段と電源のグランドとの間に電気的に接続されたことを特徴とし、請求項１の発明と同様の効果を奏する。
【００３７】
請求項４の発明は、請求項１又は２の発明において、上記電圧変動手段は、給電手段と電源の出力端との間に電気的に接続されたことを特徴とし、電圧変動手段は給電手段と給電手段の電源の出力端との間に電気的に接続されているので、給電手段と電源のグランドとの間に接続する場合に比べて、電圧変動手段に印加される電圧が低くなり、電圧変動手段をコンデンサと抵抗との直列回路からなる時定数回路で構成した場合は時定数回路のコンデンサに耐圧の低い素子を使用することができるから、電圧変動手段の小型化、低コスト化が図れるという効果がある。
【図面の簡単な説明】
【図１】実施形態１のテレビドアホン装置の概略構成図である。
【図２】同上の給電回路と時定数回路の具体回路図である。
【図３】同上の動作状態における呼出動作時の各部の波形を示し、（ａ）は呼出釦の両端電圧を示す図、（ｂ）は伝送路の電圧変化を示す図である。
【図４】時定数回路を備えていない場合の動作状態における呼出動作時の各部の波形を示し、（ａ）は呼出釦の両端電圧を示す図、（ｂ）は伝送路の電圧変化を示す図である。
【図５】実施形態２のテレビドアホン装置の一部省略せる回路図である。
【図６】従来のテレビドアホン装置の概略構成図である。
【図７】同上の待機状態における呼出動作時の各部の波形を示し、（ａ）は呼出釦の両端電圧を示す図、（ｂ）は伝送路の電圧変化を示す図である。
【図８】同上の動作状態における呼出動作時の動作を示し、（ａ）は呼出釦の両端電圧を示す図、（ｂ）はテレビカメラの垂直同期信号の波形図、（ｃ）はＦＭ変調信号に再呼出信号を重畳した波形図、（ｄ）はドロップアウト検出回路の出力波形図である。
【図９】同上の給電回路の内部等価回路図である。
【符号の説明】
１  子器
２  親器
１１  テレビカメラ
１５  待機時呼出制御回路
１６  動作時再呼出制御回路
４６  時定数回路
Ｌ１  伝送線
ＳＷ１１  呼出釦
【図１】
0003724318.tif 000002
【図２】
0003724318.tif 000003
【図３】
0003724318.tif 000004
【図４】
0003724318.tif 000005
【図５】
0003724318.tif 000006
【図６】
0003724318.tif 000007
【図７】
0003724318.tif 000008
【図８】
0003724318.tif 000009
【図９】
0003724318.tif 000010